(57)【要約】【課題】  大量の薬剤を必要とする床下土壌面や木材への薬剤処理でシロアリを防除するのではなく、シロアリの移動に不可欠なシロアリ蟻道の構築を破壊、妨害して、シロアリの家屋木材への侵入を阻止し、殺蟻するのではなくシロアリと共存するシロアリ防除構造の提供。【解決手段】  建築物の基礎１の垂直面１０に構築されたシロアリ蟻道Ｒを破壊させることによりシロアリを防除させるようにしたシロアリ防除装置Ａであって、シロアリ蟻道を破壊させる破壊部材が定位置作動部材（円盤２）であり、定位置作動部材を基礎垂直面上の定位置で動作させることにより、この定位置作動部材に接触して構築されたシロアリ蟻道を破壊させるように形成されている。【選択図】  図２
2006109703.tif 000002
【特許請求の範囲】
【請求項１】
建築物の基礎の垂直面に構築されたシロアリ蟻道を破壊させることによりシロアリを防除させるようにしたシロアリ防除装置であって、
シロアリ蟻道を破壊させる破壊部材が定位置作動部材であり、
前記定位置作動部材を基礎垂直面上の定位置で動作させることにより、この定位置作動部材に接触して構築されたシロアリ蟻道を破壊させるように形成されていることを特徴としたシロアリ防除構造。
【請求項２】
建築物の基礎の垂直面に構築されたシロアリ蟻道を破壊させることによりシロアリを防除させるようにしたシロアリ防除装置であって、
シロアリ蟻道を破壊させる破壊部材が移動部材であり、
前記移動部材を基礎垂直面上の一定範囲内で移動させることにより、その移動範囲内でシロアリ蟻道を破壊させるように形成されていることを特徴としたシロアリ防除構造。
【請求項３】
建築物の基礎の垂直面に作られるシロアリ蟻道を破壊させることによりシロアリを防除させるようにしたシロアリ防除装置であって、
シロアリ蟻道を破壊させる破壊部材が吹出装置であり、
前記吹出装置から基礎垂直面に吹き付けることにより、その勢いでシロアリ蟻道を破壊させるように形成されていることを特徴としたシロアリ防除構造。
【請求項４】
請求項１〜３のいずれかに記載のシロアリ防除構造において、破壊部材の作動と停止が任意に設定した条件で実行されるように制御されているシロアリ防除構造。
【発明の詳細な説明】
【技術分野】
【０００１】
本発明はシロアリ防除構造、特に、建築物の基礎の垂直面に作られるシロアリ蟻道を破壊させることで、それ以上のシロアリの侵入を防止させるようにしたシロアリ防除技術に関する。
【背景技術】
【０００２】
従来、シロアリ（特に地下シロアリ）の侵入による被害を防止する方法としては、建築物の床下土壌面に薬剤を散布したり、又、柱や土台などの木材に薬剤を注入したり、吹き付けたりする処理が一般的である（例えば、特許文献１、特許文献２、特許文献３、特許文献４参照）。
【０００３】
しかしながら、シロアリの移動経路を特定できないため、この従来の方法では、薬剤処理が不十分な箇所では進入を阻止できない。
このため、シロアリを防除するには、大量の薬剤を使用しなければならないという問題があった。
また、作業者は、建築物の床下という閉鎖的空間での薬剤処理作業を強いられるため、暴露の危険にさらされ、又、保護具を着用していても安全上の問題が残り、さらにはアレルギーや化学物質過敏症などの居住者に対して、薬剤処理を提供できないという問題があった。
【特許文献１】特開平９−１７２９３４号公報
【特許文献２】特開平１０−０５６９３５号公報
【特許文献３】特開平１１−０８９５００号公報
【特許文献４】特開平２００２−３１５４９３号公報
【発明の開示】
【発明が解決しようとする課題】
【０００４】
本発明は、大量の薬剤を必要とする床下土壌面や木材への薬剤処理でシロアリを防除するのではなく、シロアリの移動に不可欠なシロアリ蟻道の構築を破壊、妨害して、シロアリの家屋木材への侵入を阻止し、殺蟻するのではなくシロアリと共存するシロアリ防除構造を提供することを課題としている。
【課題を解決するための手段】
【０００５】
上記の課題を解決するために、本発明（請求項１）のシロアリ防除構造は、
建築物の基礎の垂直面に構築されたシロアリ蟻道を破壊させることによりシロアリを防除させるようにしたシロアリ防除装置であって、
シロアリ蟻道を破壊させる破壊部材が定位置作動部材であり、
前記定位置作動部材を基礎垂直面上の定位置で動作させることにより、この定位置作動部材に接触して構築されたシロアリ蟻道を破壊させるように形成されている構成とした。
【０００６】
又、本発明（請求項２）のシロアリ防除構造は、
建築物の基礎の垂直面に構築されたシロアリ蟻道を破壊させることによりシロアリを防除させるようにしたシロアリ防除装置であって、
シロアリ蟻道を破壊させる破壊部材が移動部材であり、
前記移動部材を基礎垂直面上の一定範囲内で移動させることにより、その移動範囲内でシロアリ蟻道を破壊させるように形成されている構成とした。
【０００７】
又、本発明（請求項３）のシロアリ防除構造は、
建築物の基礎の垂直面に作られるシロアリ蟻道を破壊させることによりシロアリを防除させるようにしたシロアリ防除装置であって、
シロアリ蟻道を破壊させる破壊部材が吹出装置であり、
前記吹出装置から基礎垂直面に吹き付けることにより、その勢いでシロアリ蟻道を破壊させるように形成されている構成とした。
【０００８】
又、本発明（請求項４）のシロアリ防除構造は、
前記請求項１〜３のいずれかに記載のシロアリ防除構造において、破壊部材の作動と停止が任意に設定した条件で実行されるように制御されている態様がある。
【発明の効果】
【０００９】
本発明のシロアリ防除構造は、シロアリの移動に不可欠なシロアリ蟻道を破壊させるものであるため、従来のシロアリ防除構造とは異なり、薬剤を使用する必要がなく、薬剤による環境破壊の懸念や、床下内で作業する作業者の薬剤暴露がなくなり、安全性を格段に向上させることができるという効果が得られる。さらには、居住者の安全性を高めることができる。
【発明を実施するための最良の形態】
【００１０】
本発明のシロアリ防除構造の基本的考えを説明する。
シロアリが床下家屋木材へ侵入を図る場合には、シロアリが地下に生息していることもあり、建築物の床下基礎の立ち上がり表面（基礎垂直面）から侵入するのがほとんどである。
また、移動の際には必ずシロアリ蟻道を作ることは周知である。
【００１１】
このようなシロアリの移動習性から、建築物の基礎垂直面に形成されるシロアリ蟻道を破壊し続けることで、シロアリの進行を妨害することができ、そのため、床下家屋木材への侵入を阻止することが可能となる。
【００１２】
次に、本発明の基本配設場所について述べる。
配置場所は基本的には、基礎垂直面の全面に亘って取り付けるのが好ましいのは勿論であり、部分的に配置する場合にはシロアリが這い上がってくる場所が特定できるのであれば、当該箇所に設置する。
ただ、シロアリが這い上がってくる場所の事前予測は不可能である。現状のシロアリ防除消毒が好例である。
なお、シロアリを寄せ集める手段があれば、本発明と組み合わせることで、防除効果やコスト面でより有用である。
【００１３】
次に、制御の基本構想を述べる。
電気モータを利用する場合には、電流を制御するコントローラーを備えることで、任意に破壊物の動作を制御する。なお、電気のほかには電池モータや太陽光発電などの利用も可能である。
自然力を利用する場合でも、破壊物の動作を開始又は停止させる手段として、ストッパーとタイマを用いて制御できるのは勿論である。
【００１４】
また、赤外線センサ等の基礎垂直面上の変化を検知できる装置を活用すれば、この検知装置でシロアリ蟻道の存在を検知して、破壊活動を実行することができる。
制御装置は数多く考えられるが、タイマによる作動と停止とを実行するのが安価であり、技術的にも信頼性がある。
なお、タイマを設定する場合には、シロアリ蟻道の構築時間を事前に把握しておけば、その時間に合わせて実施すればよい。
【実施例】
【００１５】
以下の第１実施例〜第３実施例は、本発明の請求項１に対応して、シロアリ蟻道を破壊させる破壊部材を定位置作動部材とした例である。
【００１６】
図１は第１実施例にかかるシロアリ防除構造を示す斜視図、図２はその断面図である。
【００１７】
このシロアリ防除構造Ａは、基礎１の垂直面１０に破壊部材としての定位置作動部材である回転体（円盤２）を配設させたもので、この円盤２を駆動モータ２０に連結させている。
この場合、駆動モータ２０を基礎垂直面１０に取り付け、この駆動モータ２０に円盤２を被せて、円盤２の内面が基礎垂直面に近接（接触してもよい）するような状態で、円盤２を駆動モータ２０に連結させている。
【００１８】
そして、前記駆動モータ２０により前記円盤２を基礎垂直面１０上の定位置で回転させることにより、この円盤２に接触して構築されているシロアリ蟻道Ｒを破壊させるように形成されている。
【００１９】
なお、円盤２の回転方向について、一方向又は正逆方向に回転させるか、又は小刻みに正転と逆転とを繰り返させるかは任意である。
また、円盤２の作動時間は特に制約はなく、連続的でも定期的でもどちらでもよい。
円盤２を回転させるための駆動源としては、商用電源、太陽電池、バッテリー等を電源とした駆動モータ２０を使用しているが、ゼンマイ仕掛けでもよいし、歯車式のものを手動で回転させるようにしてもよい。
【００２０】
この円盤２を用いたシロアリ蟻道Ｒの破壊イメージは、円盤２が回転中であれば、基礎１を這い上がってきたシロアリは、円盤２によって行く手を阻まれ、シロアリ蟻道Ｒの構築を継続することはできなくなる。
また、円盤２が停止中であれば、基礎１を這い上がってきたシロアリは、円盤２に沿ってシロアリ蟻道Ｒを構築するが、円盤２が回転を開始すると、この円盤２に接触しているシロアリ蟻道Ｒは破壊され、構築を継続することはできなくなる。
【００２１】
なお、円盤２の外周面を波形形状にすると、シロアリの移動習性からすれば、円盤２の縁に沿ってシロアリ蟻道Ｒが構築されるので、シロアリ蟻道Ｒも波形に形成され、円盤２の回転によりシロアリ蟻道Ｒを確実に破壊することができる。
【００２２】
又、回転体としては、円盤２に限らず、正方形、長方形、三角形、菱形、台形、楕円、時計針のように長細い棒状のものなど、様々な形状が適応可能である。
さらに回転体の外周や端部に、突起物や刷毛などを取り付けるようにしてもよい。
【００２３】
次に、図３は第２実施例にかかるシロアリ防除構造を示す斜視図、図４はその断面図である。
【００２４】
このシロアリ防除構造Ｂは、基礎１の垂直面１０に破壊部材としての定位置作動部材である回転体（エンドレスベルト３）を配設させたもので、このエンドレスベルト３を駆動モータ３０に連結させている。
この場合、駆動モータ３０を基礎垂直面１０に取り付け、この駆動モータ３０に取り付けた駆動ローラ３１と基礎垂直面１０に取り付けたローラ３２の間にエンドレスベルト３を掛け回して、エンドレスベルト３の内縁が基礎垂直面１０に近接（接触してもよい）するような状態に配設させている。
【００２５】
そして、前記駆動モータ３０により前記エンドレスベルト３を基礎垂直面１０上の定位置で回転させることにより、このエンドレスベルト３に接触して構築されているシロアリ蟻道Ｒを破壊させるように形成されている。
【００２６】
前記第１実施例及び第２実施例において、破壊部材としての定位置作動部材である回転体（円盤２、エンドレスベルト３）の厚みと大きさと材質について述べる。
回転体の厚みは、基本的には基礎垂直面１０から水平方向に２ｍｍ以上の厚さがあれば良く、上限は特に制約を設けないが、空間の有効利用を考慮すると極力薄くすることが好ましい。
厚みは、主に回転体が停止中にシロアリ蟻道の構築を遅延させることや、破壊が容易に行えることと共に、施工性も考慮の対象となる。
【００２７】
大きさは基本的には、破壊領域を考慮する。特に上限下限は定めないが、大きければ破壊領域が広くなり、小さければ狭くなる。また、作動させることが条件なので動力源が電気であれば消費量は増えるし、小さければ微量で済む。
【００２８】
材質は基本的には、硬質、軟質を問わない。シロアリの食害を考慮して金属系を用いるのが好ましいが、シロアリ蟻道の破壊が主目的なので、木材などシロアリが食害可能な材質でもよく、おびき寄せる手段として、意図的に用いてもよい。
【００２９】
次に、図５は第３実施例にかかるシロアリ防除構造を示す斜視図、図６（イ）、（ロ）はその断面図である。
【００３０】
このシロアリ防除構造Ｃは、基礎１の垂直面１０に破壊部材としての定位置作動部材である風船体４を配設させたもので、この風船体４に空気供給装置としての送風機４０を連結させている。
この場合、基礎垂直面１０を覆うように風船体４を設置し、この風船体４内に送風機４０で空気を送り込み、図６（ロ）のように風船体４を膨らませることで、風船体４の上に構築されたシロアリ蟻道Ｒを破壊するようになっている。なお、シロアリ蟻道Ｒを破壊した後は、風船体４内から脱気して、図６（イ）のように風船体４を縮小させるようにしている。
【００３１】
基本的には、風船体４の上に構築されたシロアリ蟻道Ｒを破壊するものであるため、空気は定期的に送り込めばよい。また、常に空気を送り続け、風船体４の表面を揺らし続けることで、シロアリ蟻道Ｒを構築させないようにしてもよい。
【００３２】
又、風船体４は、床下のすべての基礎垂直面１０に連続して設置でき、送風機４０は１つで良い。また、風船体４を基礎１ごとの垂直面１０に別体としても設置でき、各風船体４ごとに送風機４０を設置する構成としてもよい。
【００３３】
この風船体４によるシロアリ蟻道Ｒの破壊イメージは、風船体４の上に構築したシロアリ蟻道Ｒを風船体４が膨らむことで破壊して断絶させる。
また、シロアリは動くものにシロアリ蟻道Ｒを構築しないので、風船体４に空気を送り続け、風船体４の表面を揺らし続ければ、シロアリ蟻道Ｒ構築を阻止できる。
シロアリの食害を考えると、常に空気を送って、シロアリ蟻道Ｒを構築させないようにする考えの方が妥当である。
【００３４】
風船体４の材質は、ゴム、ビニール、布など、空気を送り込んで、漏れや破れないものであればなんでも良い。又、空気供給装置は、送風機４０、扇風機、床下換気扇などを利用してもよい。
【００３５】
なお、上記したように、破壊部材を定位置作動部材とした場合、その定位置作動部材の例として、円盤、エンドレスベルト、風船体を示したが、例えば、振動体を用い、この振動体の振動によってシロアリ蟻道Ｒを破壊させるようにしてもよい。
【００３６】
以下の第４実施例〜第７実施例は、本発明の請求項２に対応して、シロアリ蟻道を破壊させる破壊部材を移動部材とした例である。
【００３７】
図７は第４実施例にかかるシロアリ防除構造を示す斜視図、図８はその正面図である。
【００３８】
このシロアリ防除構造Ｄは、基礎１の垂直面１０に固定した駆動モータ５０にネジ軸５１が取り付けられ、このネジ軸５１に螺合させたナット部５２に、破壊部材としての移動部材である横棒５が取り付けられている。
この場合、前記ネジ軸５１はカバー５４により覆われ、その側面に形成した縦長孔５５から横棒５が延出している。
【００３９】
したがって、駆動モータ５０の回転によるネジ軸５１の回転で、ナット部５２を介して横棒５が昇降し、この横棒５の移動範囲内においてシロアリ蟻道Ｒを破壊することができる。
横棒５の昇降範囲は、上下方向に１ｃｍ以上であればよい。また、横棒５は、動き続けてもよいし定期的に動いてもよい。
【００４０】
なお、横棒５の昇降動作は、実施例では、駆動モータ５０を正逆回転させて行なうようにしたが、上方向へは駆動モータで引き上げ、下方向へは、自重を利用して下げるような構造にしてもよい。
なお、移動部材としての横棒５の断面形状に特に制約はなく、四角形状、丸形状などなんでもよく、ネジ軸５１が耐えられる大きさ、重さであれば良い。
【００４１】
図９は第５実施例にかかるシロアリ防除構造を示す斜視図である。
【００４２】
このシロアリ防除構造Ｅは、基礎１の垂直面１０に固定した支点軸６０に破壊部材としての移動部材である錘体６が吊下げ体６１により、振り子状に揺動自在に取り付けられている。
この場合、錘体６を揺動させるための動力源としては重力を利用している。
【００４３】
なお、他の動力源として利用できるものは、錘体６を金属（磁性体）で形成し、錘体６の揺動動作線上の各所に磁石を配設して、この磁石の反発力を利用することで左右に揺動させる手段などがある。
また、吊下げ体６１の上端を駆動モータやゼンマイ仕掛けなどの駆動手段に取り付けて、揺動させるように形成してもよい。
又、移動部材としての錘体６は、球形に限定されず、角型でもなんでもよい。
【００４４】
この錘体６によるシロアリ蟻道Ｒの破壊イメージとしては、シロアリによって構築されたシロアリ蟻道Ｒを揺動する錘体６により破壊することができる。
【００４５】
図１０は第６実施例にかかるシロアリ防除構造を示す斜視図、図１１はその断面図である。
【００４６】
このシロアリ防除構造Ｆは、基礎１の垂直面１０に滑走レール７０を傾斜状態で設置し、この滑走レール７０に破壊部材としての移動部材である球体７を転動可能に載置させるように形成されている。
この場合、球体７を自重による自然転動で滑走レール７０上を移動させるため、滑走レール７０を傾斜させているが、球体７を金属（磁性体）で形成し、滑走レールの各所に配置した磁石の反発力を利用することで滑走レール上を滑走させることも可能であり、この場合には、滑走レールを水平に配設させることができる。
【００４７】
この球体７によるシロアリ蟻道Ｒの破壊イメージとしては、シロアリによって構築されたシロアリ蟻道Ｒを移動する球体７の衝突によって破壊することができる。
【００４８】
又、図１２は第７実施例にかかるシロアリ防除構造を示す断面図である。
このシロアリ防除構造Ｇは、破壊部材としての移動部材である摺動体７ａを滑走レール７０上に載置させるように形成されている。
即ち、前記第６実施例の球体７の代わりに、滑走レール７０に対してフック等の吊り手段で引っ掛けられて摺動するようにした摺動体７ａを用いた例であり、その他の構成は、第６実施例と同様である。
【００４９】
なお、上記のような滑走レール７０上を移動させる移動部材としては、移動部材自体に車輪を設けて、駆動モータやゼンマイ仕掛けなどの駆動手段によって自走機能を持たせるようにしてもよい。
【００５０】
以下の第８実施例は、本発明の請求項３に対応して、シロアリ蟻道を破壊させる破壊部材を空気吹出しノズルとした例である。
【００５１】
図１３は第８実施例にかかるシロアリ防除構造を示す斜視図、図８はその断面図である。
【００５２】
このシロアリ防除構造Ｈは、気体、液体、固体を基礎１の垂直面１０に吹き付ける吹出装置８を備えたものである。
この場合、基礎垂直面１０に送風ダクト８０（送風パイプでもよい）等を配設し、この送風ダクト８０に接続した送風機８１からの空気を送風ダクト８０の下面に形成した吹き出し口８２から基礎垂直面１０に向けて吹き出し、その勢いでシロアリ蟻道Ｒを破壊させるように形成されている。
【００５３】
送風機８１としては、従来の換気扇をイメージしており、別段の特徴はないので既存技術をそのまま応用できる。
吹き出す物としては、気体（空気等）、液体（水等）、固体（粒体等）等なんでもよい。液体や固体を吹き出す際には、放水装置や放出装置を使用することになる。これらの放水装置や放出装置も従来の技術をそのまま応用できる。
【００５４】
吹出装置８の設置場所としては、基礎垂直面１０に限らず、建築物構成材（土台１１、柱、大引き、根太、束柱等）に取り付けてもよいし、地面に据え置きして基礎垂直面１０に吹き付けるようにしてもよい。
【図面の簡単な説明】
【００５５】
【図１】第１実施例にかかるシロアリ防除構造を示す斜視図である。
【図２】その断面図である。
【図３】第２実施例にかかるシロアリ防除構造を示す斜視図である。
【図４】その断面図である。
【図５】第３実施例にかかるシロアリ防除構造を示す斜視図である。
【図６】その断面図である。
【図７】第４実施例にかかるシロアリ防除構造を示す斜視図である。
【図８】その正面図である。
【図９】第５実施例にかかるシロアリ防除構造を示す斜視図である。
【図１０】第６実施例にかかるシロアリ防除構造を示す斜視図である。
【図１１】その断面図である。
【図１２】第７実施例にかかるシロアリ防除構造を示す断面図である。
【図１３】第８実施例にかかるシロアリ防除構造を示す斜視図である。
【図１４】その断面図である。
【符号の説明】
【００５６】
１  基礎
１０  垂直面
１１  土台
Ａ  シロアリ防除装置
２  円盤
２０  駆動モータ
Ｂ  シロアリ防除構造
３  エンドレスベルト
３０  駆動モータ
３１  駆動ローラ
３２  ローラ
Ｃ  シロアリ防除構造
４  風船体
４０  送風機
Ｄ  シロアリ防除構造
５  横棒
５０  駆動モータ
５１  ネジ軸
５２  ナット部
５４  カバー
５５  縦長孔
Ｅ  シロアリ防除構造
６  錘体
６０  支点軸
６１  吊下げ体
Ｆ  シロアリ防除構造
７  球体
７０  滑走レール
Ｇ  シロアリ防除構造
７ａ  摺動体
Ｈ  シロアリ防除構造
８  吹出装置
８０  送風ダクト
８１  送風機
８２  吹き出し口
Ｒ  シロアリ蟻道
【図１】
2006109703.tif 000003
【図２】
2006109703.tif 000004
【図３】
2006109703.tif 000005
【図４】
2006109703.tif 000006
【図５】
2006109703.tif 000007
【図６】
2006109703.tif 000008
【図７】
2006109703.tif 000009
【図８】
2006109703.tif 000010
【図９】
2006109703.tif 000011
【図１０】
2006109703.tif 000012
【図１１】
2006109703.tif 000013
【図１２】
2006109703.tif 000014
【図１３】
2006109703.tif 000015
【図１４】
2006109703.tif 000016